(57)【特許請求の範囲】
【請求項１】
コア部と、該コア部の外周を覆い該コア部よりも屈折率が低いクラッド部とを有する光
ファイバと、
前記光ファイバの一方の端部に設けられ、前記コア部の屈折率と等しいか又は前記コア
部の屈折率よりも高い屈折率を有する、光透過性材料から成る球状或いは楕円体状の拡散
体とを備え、
前記拡散体の表面には、多数の四角筒状の凹部が蜂の巣状に形成されており、前記光ファイバの一方の端部において、前記コア部は前記クラッド部から前記拡散体内
に突出していることを特徴とする拡散型光ファイバ。
【請求項２】
前記光ファイバは、前記コア部よりも屈折率が低い保護層内に配置されていることを特
徴とする請求項１に記載の拡散型ファイバ。
【請求項３】
前記光ファイバは、前記保護層内に所定の間隔を置いて複数配置されていることを特徴
とする請求項２に記載の拡散型ファイバ。
【請求項４】
複数個の光ファイバは、少なくとも1μmの間隔をおいて前記保護層内に配置されている
ことを特徴とする請求項３に記載の拡散型ファイバ。
【請求項５】
前記拡散体の外径寸法は、前記光ファイバの外径寸法の１〜４倍の大きさであることを
特徴とする請求項１〜４のいずれかに記載の拡散型ファイバ。
【請求項６】
前記拡散体の外径寸法は、前記保護層の外径寸法の１〜４倍の大きさであることを特徴
とする請求項２〜４のいずれかに記載の拡散型ファイバ。
【請求項７】
突出部分の長さは、0.5mmよりも長く、6mmよりも短いことを特徴とする請求項１〜６の
いずれかに記載の拡散型ファイバ。
【請求項８】
前記突出部分は、先細り形状に加工されていることを特徴とする請求項１〜７のいずれ
かに記載の拡散型ファイバ。
【請求項９】
前記拡散体は、透明又は乳白色のガラス材料、高分子材料からなることを特徴とする請
求項１〜８のいずれかに記載の拡散型ファイバ。
【請求項１０】
前記拡散体には、光散乱部材が混入されていることを特徴とする請求項１〜９のいずれ
かに記載の拡散型ファイバ。
【請求項１１】
全体の外周が、樹脂層或いは金属層で覆われていることを特徴とする請求項１〜１０の
いずれかに記載の拡散型ファイバ。
【請求項１２】
請求項１〜１１のいずれかに記載の拡散型ファイバと、
前記拡散型ファイバの他端部に光を入射させる複数の光源とを備え、前記複数の光源は、前記拡散型ファイバの他端部から可視光のレーザ光と、前記レーザ光とは波長が異なる複数のレーザ光を合波器を通して入射させることを特徴とする医療用光部品。
【発明の詳細な説明】
【技術分野】
【０００１】
本発明は、レーザ光等の光線を広い範囲に照射するための拡散型光ファイバ及びそれを用いた医療用光部品に関する。
【背景技術】
【０００２】
医療分野においては、紫外域から近赤外域、赤外域にわたる種々のレーザ光が、生体組織の光化学治療、生体組織の溶着、心血管の経皮的冠状動脈形成術後の再狭窄防止、不整脈の治療のための心筋組織のアブレーションといった様々な治療に用いられている。それらのレーザ光を生体組織へ照射する方法として、光ファイバを用いた方法が検討されている。しかし、光ファイバから出射した光は指向性が強く、生体組織の狭い範囲にしか照射することができない。そこで、光ファイバの先端に光を拡散させるための構造を設けることで、生体組織の広範囲に均一な光を照射できるようにした医療用光ファイバが提案されている（特許文献１〜７参照）。
【０００３】
なお、医療以外の分野でもレーザ光や発光ダイオードの光を拡散させる光拡散板が開発され、デイスプレイや看板、ＬＣＤバックライト、自動車用ライト等に適用されている。このような光拡散板の例として、マイクロレンズアレイやホログラフィーを利用したもの、表面を荒削りしたスリガラス、球状の無機微粒子を含んだポリマ板、ガラス板面に乳白色膜を形成したもの、拡散機能とレンズ機能を組み合わせた拡散レンズからなる光拡散板等が挙げられ、これらは多くの企業から提案され、製品化されている。
【先行技術文献】
【特許文献】
【０００４】
【特許文献１】実開平7-36101号公報
【特許文献２】特開2000-193894号公報
【特許文献３】特開2001-204831号公報
【特許文献４】特開2009-247629号公報
【特許文献５】特開平6-273678号公報
【特許文献６】特開2003-111789号公報
【特許文献７】特開平9-51882号公報
【発明の概要】
【発明が解決しようとする課題】
【０００５】
ところが、前述の特許文献１〜７に記載の医療用光ファイバには次のような問題がある。
特許文献１には、光ファイバの先端に中空状のポリエチレン製拡散体を装着した医療用光ファイバが記載されている。特許文献１の医療用光ファイバでは、拡散体の中空部に光ファイバの先端部が配置されており、当該先端部からの反射戻り光による光量の減衰があるため、生体に十分な光量を照射することが難しい。
【０００６】
特許文献２には、ライトガイドファイバの出射端側（生体側）に光学部材を配置し、この光学部材の生体側の面を除く少なくとも一面に光拡散面を形成した医療用光ファイバが記載されている。しかし、特許得文献２の医療用光ファイバにおいても、光学部材の出射端面からの反射戻り光に加えて生体からの反射戻り光による光量の減衰があり、やはり生体に十分な光量を照射することが難しい。
【０００７】
特許文献３に記載の医療用光ファイバは、ファイバの先端から突出するコアガラスの周側面に所定パターンの凹溝構造を備える。しかし、コアガラスのように直径が非常に小さい部材の周側面に凹溝構造を形成することはきわめて難しく、また、形成できたとしても生体面に向かって光量を均一に拡散させることは難しい。
【０００８】
特許文献４に記載の医療用光ファイバは、光ファイバの出射端に金属線材から成るコイル状光拡散体が装着されているが、このコイル状光拡散体での光の減衰が大きいため、生体面に十分な光量を照射することが難しい。
【０００９】
特許文献５には、光学繊維束から成るライトガイドの先端部に凹レンズを設け、当該凹レンズの凹面曲率を多重構造にして光を拡散させる医療用の照明光学系が記載されている。しかし、微小サイズの凹レンズの凹面曲率を多重構造に形成することは現実的に難しく、低価格で製造することに課題がある。
【００１０】
特許文献６には、光ファイバの先端部を弾丸状（楕円体状）に加工することによって出射光を拡散させることが記載されている。しかし、光ファイバの先端を弾丸状にすることによる光の拡散効果は十分ではない。
【００１１】
特許文献７には、複数の光ファイバと複数の投光素子からなる投光ブロックと複数の拡散素子から構成された視覚刺激装置が記載されている。この視覚刺激装置では、光ファイバの本数分だけ拡散素子を必要とする上、光ファイバの本数以上の十分に広い範囲に光を拡散させることが難しい。
【００１２】
そこで、本発明が解決しようとする課題は、広範囲に十分な光量を均一に照射することができる拡散型光ファイバ及び医療用光部品を提供することである。
【課題を解決するための手段】
【００１３】
上記課題を解決するために成された本願の第１発明は、
コア部と、該コア部の外周を覆い該コア部よりも屈折率が低いクラッド部とを有する光ファイバと、
前記光ファイバの一方の端部に設けられ、前記コア部の屈折率と等しいか又は前記コア部の屈折率よりも高い屈折率を有する、光透過性材料から成る球状或いは楕円体状の拡散体とを備えた拡散型ファイバであって、
前記拡散体の表面には、多数の四角筒状の凹部が蜂の巣状に形成されており、前記光ファイバの一方の端部において、前記コア部は前記クラッド部から前記拡散体内に突出していることを特徴とする。
【００１４】
第１の発明においては、前記光ファイバは、前記コア部よりも屈折率が低い保護層内に配置されていると良い。
この場合、前記光ファイバは、前記保護層内に所定の間隔を置いて複数配置されていると良く、特に、複数個の光ファイバは、少なくとも1μmの間隔をおいて前記保護層内に配置されていると良い。
【００１５】
また、前記拡散体の外径寸法は、前記光ファイバの外径寸法の１〜４倍の大きさであることが好ましく、前記光ファイバが保護層内に配置されている場合は、前記拡散体の外径寸法は、前記保護層の外径寸法の１〜４倍の大きさであることが好ましい。
【００１６】
コア部がクラッド部から突出する部分の長さは、0.5mmよりも長く、6mmよりも短いことが好ましい。また、前記突出部分は、先細り形状に加工されていることが好ましい。
【００１７】
前記拡散体は、透明又は乳白色のガラス材料、高分子材料から構成すると良い。また、前記拡散体に、光散乱部材を混入したり、拡散体の表面に粗面加工を施したり、多数の凹部を網目状、或いは蜂の巣状に形成したりすると良い。このような構成によれば、光ファイバを伝搬してきた光をより広い範囲に拡散して放射することができる。
【００１８】
本願の第２発明は医療用光部品であって、上記した拡散型ファイバと、前記拡散型ファイバの他端部に光を入射させる光源とを備えることを特徴とする。
この場合、複数の光源から、波長が異なる複数のレーザ光を前記拡散型ファイバに入射させるように構成すると、より多くの病変部の探知や治療などに適用することができる。
【発明の効果】
【００１９】
本発明によれば、光ファイバの他端部から入射したレーザ光は該光ファイバ内を拡散体に向けて伝搬し、コア部の突出部分から拡散体内に出射する。そして、拡散体内に出射されたレーザ光は、拡散体から広い範囲に拡散して放射される。このとき、突出部分からの光は拡散体内に直接出射するため、反射戻り光による光量の減衰がない。従って、本発明の拡散型ファイバを用いることにより、生体組織の広い領域に十分な光量のレーザ光を照射することができ、内視鏡用照明光学部品としても利用できる。また、このように広い範囲にレーザ光を照射することができるため、本発明の拡散型ファイバやこれを用いた医療用光部品は、生体組織の光化学治療、生体組織の溶着、心血管の経皮的冠状動脈形成術後の再狭窄防止、不静脈などの治療のための心筋組織のアブレーション等に関する治療 、生体組織の酸素化状態の探知、生体組織（腫瘍組織や癌などの生体組織）の加熱装置としても利用できるようになる。この場合、上記レーザ光として１つの波長か複数波長の光源を用いることによって、より多くの病変部の探知や治療などに適用することができる。
【００２０】
具体的には、本発明では、コア部の一方の端部が、該コア部の屈折率と等しいか又は前記コア部よりも高い屈折率を有した、光透過性材料から成る拡散体で覆われているので、光ファイバのコア部内を伝搬してきた光は前記拡散体内で放射され、当該拡散体の形状である球状又は楕円体状に拡がり、拡散体の外側に一様に拡散、放射される。つまり、レーザ光や発光ダイオードの光を上記光ファイバ内に入射、伝搬させるとその出射光は拡散体によって球状か楕円体状に一様に広がり、生体に照射される。従って、第１発明の拡散型光ファイバを用いて、生体組織の病変部を探知、あるいは治療することができる。
【００２１】
また、本発明の構成では、反射戻り光による光の減衰はほとんど無く、光ファイバ内を伝送させてその光ファイバの出射端で上記光を一様に拡散させて生体組織に広く照射することができる。
また、拡散体を構成する光透過性材料は、その透過率が光ファイバ内を伝送する光信号について、少なくとも50%よりも高く100%に近い値のものを用いることができる。
【００２２】
上記構成において、前記光ファイバを前記コア部よりも屈折率が低い保護層内に所望の間隔を置いて複数個配置し、前記保護層の一端及び光ファイバの一端から突出するコア部を前記拡散体で覆うようにした、いわゆるマルチコアファイバ構造とすれば、より広い容積に一様にレーザ光を拡散させて生体組織に照射することができる。例えば、９個のコア部を備えたマルチコアファイバの場合には、コア部が１つの場合に比して少なくとも９倍の容積全体に光を拡散させることが可能となる。このようにコア部が多いほど生体組織のより広い範囲に光を拡散させて照射させることができる。
【００２３】
例えば、マルチコアファイバは、例えば屈折率の低いガラスの保護層内に孔を開けて該孔に光ファイバを挿入することで容易に実現することができる。この場合、隣接する光ファイバの間隔が少なくとも1μmとなるように該光ファイバを保護層内に配置することが望ましい。また、マルチコアファイバに用いる光ファイバとしては、ガラス材料、プラスチック材料からなる光ファイバ、シングルモードファイバ、マルチモードファイバなど、適宜のものを用いることができる。
【００２４】
拡散体の外径寸法を光ファイバのクラッド部又は保護層の外径寸法の１〜４倍の大きさにすると、生体内に挿入する際に不都合が生じることなく生体組織の極めて広い範囲にレーザ光を拡散させて照射することができる。ただし、拡散体の外径寸法があまり大きいと生体内に挿入する際に不都合を生じるので、外径寸法が125μmの光ファイバを用いることが好ましい。この場合の拡散体の外径寸法は、125μm〜0.5mmとなる。マルチコアファイバ構造の光ファイバの外径寸法は250μm程度となるため拡散体の外径寸法が大きくなり、250μm〜1mm程度になる。また、光ファイバの外周にプラスチックの被覆材を被覆した場合でも当該光ファイバの外径は250μm程度になり、この場合も、拡散体の外径寸法は250μm〜1mm程度になる。したがって拡散体の外径寸法が1mm程度であれば、生体内挿入する上で特に問題にならない。
【００２５】
また、コア部がクラッド部から突出する部分の長さを0.5mmよりも長く、6mmよりも短くすると、クラッド部から突出するコア部を前記拡散体で確実に覆うことができる。クラッド部から突出するコア部の長さが長い場合は、拡散体の形状は球状ではなく先端方向に細長く伸びた楕円体状にすることが好ましい。このようにすることによって、光ファイバ内を伝搬してきたレーザ光を上記拡散体内に球状又は楕円体状に放射させることができ、前記拡散体から出た後は拡散されて生体組織の広い領域に照射することができるようになる。
【００２６】
前記クラッド部から突出するコア部の形状は先細り形状に加工することによって、レーザ光が当該コア部の先鋭形状方向に伝搬するに伴ってより大きい角度で前面に放射されるため、拡散体内に球状か楕円体状により一様に放射させることができ、さらに、拡散体内に放射された光は該拡散体を出た後もほぼ一様に極めて広い範囲に拡散されて生体組織の広い領域に照射することができるようになる。コア部の突出部分を先細り形状に加工する方法としては、光ファイバが例えばガラス材料から成る場合にはフッ酸かフッ酸の水溶液の中に入れてエッチング処理する方法が挙げられる。
【００２７】
前記拡散体は、透明又は乳白色のガラス材料か高分子材料で構成すれば、光ファイバの先端部に容易に製作可能である。また、生体内に挿入しても害が無く、また長期的に使用することが可能となる。上記ガラス材料としては、例えば水ガラスとしてケイ酸カリウム（K2SiO3）の水溶液、ケイ酸ナトリウム（Na2SiO3）の水溶液、ケイ酸リチウム（Li2SiO3）の水溶液、アンモニウムシリケートの水溶液を硬化させたガラスを用いることができ、高分子材料としてポリメタクリル酸メチル、ポリアクリル酸メチル、ポリメタクリル酸イソブチルなどを用いることができる。
【００２８】
前記拡散体には、光散乱部材を混入させることによって該拡散体内で光散乱を積極的に起こさせて光をより広い範囲に拡散させることができ、この結果、生体組織の更に広い領域に光を照射することができる。光散乱部材の材料として、屈折率の異なる微粒子か金属微粒子が好ましい。これらの微粒子のサイズは1μmから50μmの範囲が好ましい。上記微粒子のサイズが小さい場合にはその数量を多くし、サイズが大きい場合には少なくするのがよい。ここで、上記微粒子の数量は、光ファイバ内を伝送する光信号に対する拡散体の透過率が50%よりも高く、100%に近い値になるような範囲で決めると良い。
【００２９】
また、上記拡散体の表面部に多数の凹凸を有する粗面加工すると、その表面部からの光の拡散を更に広い範囲に広げることができるようになる。拡散体の表面部に形成する凹凸は0.1μmから5μm程度の深さであることが好ましい。
【００３０】
さらに、上記拡散体の表面部に、多数の小さな四角形状の凹部から成る蜂の巣状に加工することによっても、その表面部からの光を拡がりをもって広い範囲に拡散させて放射することができる。小さな四角形状の凹部は、その平面形状の面積が小さいほど光の拡散は大きくなり、その面積は10μm２から200μm２の範囲が好ましい。
【００３１】
更にまた、拡散型ファイバは、その外周全体を補強部材としての高分子材料の樹脂層（例えば、シリコン樹脂、ＵＶ樹脂、ナイロン樹脂、ポリエチレン樹脂など）、あるいは金属層（Ａｌ、Ｃｕなど）で覆うようにすると、強度が増し、生体内に挿入したときに破損したり破壊したりすることを防止できる。
【図面の簡単な説明】
【００３２】
【図１】本発明の実施例１に係る拡散型ファイバの概略構成図であり、（ａ）は外観図、（ｂ）は縦断面図、（ｃ）は横断面図。
【図２】本発明の実施例２に係る拡散型ファイバの概略構成図であり、（ａ）は外観図、（ｂ）は縦断面図、（ｃ）は横断面図。
【図３】本発明の実施例３に係る拡散型ファイバの概略構成図であり、（ａ）は外観図、（ｂ）は縦断面図、（ｃ）は横断面図。
【図４】本発明の実施例４に係る拡散型ファイバの概略構成図であり、（ａ）は外観図、（ｂ）は縦断面図、（ｃ）は横断面図。
【図５】本発明の実施例５に係る拡散型ファイバの概略構成図であり、（ａ）は外観図、（ｂ）は縦断面図、（ｃ）は横断面図。
【図６】本発明の実施例６に係る拡散型ファイバの概略構成図であり、（ａ）は外観図、（ｂ）は縦断面図、（ｃ）は横断面図。
【図７】本発明の実施例７に係る拡散型ファイバの概略構成図であり、（ａ）は外観図、（ｂ）は縦断面図、（ｃ）は横断面図。
【図８】本発明の実施例８に係る拡散型ファイバの概略構成図であり、（ａ）は外観図、（ｂ）は縦断面図、（ｃ）は横断面図。
【図９】本発明の実施例９に係る拡散型ファイバの概略構成図であり、（ａ）は外観図、（ｂ）は縦断面図、（ｃ）は横断面図。
【図１０】本発明の実施例１０に係る拡散型ファイバの外観斜視図。
【図１１】本発明の実施例１１に係る拡散型ファイバの外観斜視図。
【図１２】本発明の実施例１２に係る医療用光部品の概略構成図。
【図１３】本発明の実施例１３に係る医療用光部品の概略構成図。
【発明を実施するための形態】
【００３３】
以下、本発明の具体的な実施例について説明する。
【実施例１】
【００３４】
図１は、本発明の実施例１に係る拡散型ファイバを示す。同図（a）は実施例１の拡散型ファイバの外観図、同図（b）は縦断面図、同図（c）はX1-X1線に沿う横断面図である。実施例１の拡散型ファイバ１は、高屈折率のコア部２と該コア部２の外周を覆う前記コア部２よりも低屈折率のクラッド部３から成る光ファイバ４と、この光ファイバ４の一方の端部に設けられた球状の拡散体５とから構成されている。
【００３５】
図１の（c）に示すように、光ファイバ４の一方の端部においてコア部２の一端部はクラッド部３の一端部から長さＬだけ突出しており、この突出部（以下、「突出部２Ａ」という）を覆うように拡散体５が光ファイバ４の一端部に取り付けられている。
前記突出部２Ａは、コア部２の外周全体をクラッド部３で被覆した後、クラッド部３の一部を除去し、コア部２の一端部をむき出しにすることで形成することができる。クラッド部３の一部を除去する方法としては、例えばクラッド部３がガラス材料から成る場合には、フッ酸、或いはフッ酸水溶液に光ファイバを入れ、クラッド部３を部分的にエッチングする方法がある。この場合、コア部２の一端部（つまり、突出部２Ａ）の外周から完全にクラッド部３が除去されていなくても良く、クラッド部３の一部が突出部２Ａの外周に残っていても良い。
また、コア部２の一方の端部を除く部分の外周にのみクラッド部３を形成することで、コア部２の突出部２Ａを形成しても良い。
【００３６】
前記拡散体５は、コア部２の屈折率と等しいかそれよりも高い値の屈折率を有する光透過性材料からなる中実の部材で、その光透過性材料からなる中実の部材の屈折率の上限値は、それに用いる材料で選定することができる。すなわち、コア部及びクラッド部を容易に覆い、接着性の良い材料を重要視して選ぶことができる。コア部にガラス材料を用いた場合にはその光透過性材料からなる中実の部材の屈折率の上限値は１．５程度、高分子材料を用いた場合には１．６程度まで高い値の材料を選定することができる。また、拡散体５は、光ファイバ４内を伝送される光信号に対して50％よりも大きく、100％に近い透過率となるように材料を選定すると良い。
【００３７】
前記拡散体５の材料としては、例えば水ガラスや高分子材料などを用いることができる。水ガラスとしては例えばケイ酸カリウム（K2SiO3）の水溶液、ケイ酸ナトリウム（Na2SiO3）の水溶液、ケイ酸リチウム（Li2SiO3）の水溶液、アンモニウムシリケートの水溶液を硬化させたガラスを用いることができる。高分子材料としては、例えばポリメタクリル酸メチル、ポリアクリル酸メチル、ポリメタクリル酸イソブチルを用いることができる。上記拡散体５は、広い範囲に光を放射・拡散させる必要性から、クラッド部３の外径と同程度から４倍程度の外径であることが好ましい。
る。
【００３８】
本実施例に係る拡散型ファイバ１が石英ガラス系のシングルモードファイバである場合、クラッド部３の外径は125μm、コア部２の直径は10μmにすると良い。また、突出部２Ａの長さＬは、光ファイバ４の製作性を考慮すると最小でも0.5mm程度に、生体内での拡散領域を考慮すると最大でも6mm程度にすると良い。さらに、コア部２とクラッド部３の比屈折率差Δ（＝［（コア部２の屈折率ｎc−クラッド部３の屈折率ｎｃｌ）/コア部２の屈折率ｎc］×100（％））が0.5％となるように、コア部２及びクラッド部３の材料を選定すると良い。
【００３９】
上記構成の拡散型ファイバ１において、拡散体５が取り付けられた側とは反対側の光ファイバ４の端面からレーザ光Ｌａを入射させると、当該レーザ光Ｌａはコア部２内を伝搬して前記拡散体５に向かう。そして、拡散体５の内部に突出した突出部２Ａから拡散体５の内部に放射され、拡散体５の表面全体から一様に広がり放射される。また、実施例１の拡散型ファイバ１では、突出部２Ａを中実状の拡散体５の内部に配置して突出部２Ａからの光が直接拡散体５の内部に放射されるようにしたため、反射戻り光による光の減衰をほとんどなくすことができる。従って、拡散型ファイバ１を医療用光ファイバとして用いた場合に、生体内の広い範囲に十分な光量の光を照射することができる。
【００４０】
なお、上記拡散型ファイバ１を生体内に挿入して使用する場合は、当該拡散型ファイバ１の外周部全体を補強部材で被覆するとよい。補強用材料としては、高分子材料の樹脂層（例えば、シリコン樹脂、UV樹脂、ナイロン樹脂、ポリエチレン樹脂など）、あるいは金属層（Al、Cuなど）を用いることができる。
【実施例２】
【００４１】
図２は本発明の実施例２に係る拡散型ファイバを示す。同図（a）は実施例２の拡散型ファイバの外観図、同図（b）は縦断面図、同図（c）はX2-X2線に沿う横断面図である。実施例２の拡散型ファイバ７は、突出部２Ａの先端が丸く加工されている点が実施例１の拡散型ファイバ１と異なる。突出部２Ａの先端を丸くすることで、突出部２Ａからの光を拡散体５内全体に一様に放射させることができる。
【００４２】
突出部２Ａを丸く加工する方法としては、バーナ等の加熱源で前記突出部２Ａを加熱したり、炭酸ガスレーザを前記突出部２Ａに照射したりする方法を用いることができる。
【実施例３】
【００４３】
図３は本発明の実施例３に係る拡散型ファイバを示す。同図（a）は実施例３の拡散型ファイバの外観図、同図（b）は縦断面図、同図（c）はX3-X3線に沿う横断面図である。実施例３の拡散型ファイバ８は、保護層１０内に所定の間隔を置いて配置された複数本（図３に示す例では５本）の光ファイバ４と、前記該保護層１０の一端部に設けられた球状の拡散体５とを有する。各光ファイバ４は、実施例１の光ファイバ４と同様の構造を有しており、高屈折率のコア部２と該コア部２の外周を覆う低屈折率のクラッド部３から成る。コア部２の一端部はクラッド部３から長さＬだけ突出する突出部２Ａとなっている。突出部２Ａを形成する方法は実施例１に示したとおりである。
【００４４】
光ファイバ４は、コア部２及びクラッド部３の一端部が保護層１０の一端部から突出した状態で該保護層１０内に配置されている。従って、実施例３の拡散型ファイバ８では、コア部２の突出部２Ａだけでなく、保護層１０から突出するクラッド部３の一部も拡散体５内に位置する。前記拡散体５は、実施例１と同様、コア部２の屈折率と等しいかそれよりも高い屈折率を有する光透過性材料で形成されている。
【００４５】
保護層１０内に配置された光ファイバ４の間隔は、拡散型ファイバ８の他端から入射されるレーザ光Ｌａが光ファイバ４と効率良く結合するような長さが選ばれ、最小でも1μm程度、最大でも10μm程度であることが好ましい。
また、保護層１０の材料としては、光ファイバ４のコア部２の屈折率よりも低い屈折率のガラス材料や高分子材料が用いられる。
【００４６】
なお、保護層１０の屈折率は光ファイバ４のクラッド部３の屈折率と同程度かそれよりも低い値が好ましいが、わずかに高い値でも問題はない。
また、上記光ファイバ４は、シングルモードファイバ、マルチモードファイバのいずれでも良い。光ファイバ４がマルチモードファイバであるとき、その外径は125μmにすると良い。レーザ光Ｌａと拡散型ファイバ８の結合効率を考えると、上記光ファイバ４のクラッド部３は薄い方が好ましい。
【００４７】
図３に示す例では、拡散型ファイバ８は５本の光ファイバ４を用いているので、５本のレーザ光Ｌａを５本の光ファイバ４内にそれぞれ入射させ、拡散体５から放射させることになる。従って、１本の光ファイバを用いた場合に比べて５倍以上の容積に光を拡散して放射することができる。
【実施例４】
【００４８】
図４は本発明の実施例４に係る拡散型ファイバを示す。同図（a）は実施例４の拡散型ファイバの外観図、同図（b）は縦断面図、同図（c）はX4-X4線に沿う横断面図である。この実施例４の拡散型ファイバ１２では、コア部２の突出部２Ａが先細り形状(テーパ状）に加工されている。コア部２の先端形状の加工方法としては、光ファイバ４がガラス材料から成る場合には該光ファイバ４の先端をフッ酸かフッ酸の水溶液の中に入れてエッチング処理する方法が挙げられる。また、光ファイバ４がプラスチック材料から成る場合には、機械的に削り取ることによって先端をテーパ状に加工する方法がある。この場合、突出部２Ａの最先端は先鋭状でなくても良く、例えば楕円体状や球状であっても良い。
【００４９】
突出部２Ａを先細り形状にすることで、突出部２Ａからの光は前方に強く放射される。従って、拡散体５の前方に位置する物体により強く光を照射することができる。尚、突出部２Ａの先細り形状の傾斜角度は一定でも良く、先端に向かって徐々に傾斜角度を大きくしたり、小さくしたりしても良い。
【実施例５】
【００５０】
図５は本発明の実施例５に係る拡散型ファイバを示す。同図（a）は実施例５の拡散型ファイバの外観図、同図（b）は縦断面図、同図（c）はX5-X5線に沿う横断面図である。この実施例５の拡散型ファイバ１４は、拡散体１５の内部に光散乱部材が混入させた点が上記実施例４と異なる。拡散体１５は、コア部２の屈折率と等しいかそれよりも高い屈折率を有する光透過性材料から形成され、例えば透明、あるいは乳白色のガラス材料や高分子材料を用いることができる。
【００５１】
光散乱部材としては、拡散体１５とは屈折率の異なる無機あるいは有機の微粒子、金属微粒子が好ましい。光散乱部材となる微粒子のサイズは1μmから50μmの範囲が好ましい。微粒子のサイズが小さい場合にはその数量を多くし、サイズが大きい場合には少なくするのがよい。光拡散部材の数量は、拡散体１５の透過率が、光ファイバ４内を伝送される光信号に対して50％よりも大きく、100％に近い値となる範囲で決めると良い。拡散体１５を透明、あるいは乳白色のガラス材料や高分子材料で形成すれば、その中に光散乱部材を容易に混入させることができる。
【００５２】
このような拡散体２４を得る方法として、ケイ酸ナトリウム（Na2SiO3）の水溶液内に粒径が数μmから数十μmの範囲のSiO2粒子を分散させた溶液を、クラッド部３から突出するコア部２の一端部に被覆した後、加熱し、硬化させる方法がある。
別の方法として、ポリシランをキシレンに溶かした溶液内にSiO2粒子を分散させ、その溶液をクラッド部３から突出するコア部２の一端部に被覆後、加熱し、硬化させる方法もある。
【００５３】
このような構成の拡散型ファイバ１４を用いれば、光ファイバ１の他端部から入射してコア部２内を伝播してきたレーザ光を、拡散体１５内で積極的に散乱させることができるため、より広い範囲にレーザ光を拡散させることができる。従って、拡散型ファイバ１４を生体内に挿入して使用したときに、生体組織の更に広い領域にレーザ光を照射することができる。
【実施例６】
【００５４】
図６は本発明の実施例６に係る拡散型ファイバを示す。同図（a）は実施例６の拡散型ファイバの外観図、同図（b）は縦断面図、同図（c）はX6-X6線に沿う横断面図である。この実施例６の拡散型ファイバ１６は、拡散体１７の表面を粗面加工した点が実施例４と異なる。粗面加工することで、拡散体１７の表面には多数の小さな凹凸が形成されるため、突出部２Ａから拡散体１７内に出射した光を、拡散体１７の表面からより一層広い範囲に放射することができる。
【００５５】
本実施例６では、拡散体１７の材料としてガラス材料、プラスチック材料、ガラスとプラスチックの混合材料等を用いることができる。また、拡散体１７表面の粗面構造は、深さが0.1μmから5μm程度の多数の凹凸から構成されていると良い。多数の凹凸を形成する方法としては、例えばサンドペーパーで拡散体１７の表面を荒削りする方法がある。
【実施例７】
【００５６】
図７は本発明の実施例７に係る拡散型ファイバを示す。同図（a）は実施例７の拡散型ファイバの外観図、同図（b）は縦断面図、同図（c）はX7-X7線に沿う横断面図である。この実施例７はマルチファイバ構造の例を示すものであり、拡散型ファイバ１８は、複数（図７では５）のコア部２がクラッド部３内に埋め込まれて成る光ファイバ４と、光ファイバ４の一端部に設けられた拡散体５を有している。前記コア部２は、クラッド部３よりも高い屈折率を有しており、その一端部である突出部２Ａは長さＬだけクラッド部３の一端部から拡散体５内に突出している。実施例７のクラッド部３は、実施例３の保護層１０を兼ねている。
【００５７】
拡散型ファイバ１８を生体内に挿入して用いること、拡散体５から放射される光の範囲を広くすることを考慮すると、クラッド部３におけるコア部２の間隔は5〜150μmの範囲が好ましい。一方、拡散型ファイバ１８の他端から入射されるレーザ光Ｌａと当該ファイバ１８の結合効率を高くすることを考慮すると、コア部２の間隔は1μm程度にすることが好ましく、拡散体５からできるだけ広い範囲に光を拡散して放射することを考えるならコア部２の間隔は10μmまで広げると良い。
【実施例８】
【００５８】
図８は本発明の実施例８に係る拡散型ファイバを示す。同図（a）は実施例８の拡散型ファイバの外観図、同図（b）は縦断面図、同図（c）はX8-X8線に沿う横断面図である。この実施例８はマルチモードファイバの例を示し、拡散型ファイバ２１のコア部２の直径は30μm以上100μm以下、クラッド部３の直径は125μm程度である。このような構成の拡散型ファイバ２１においても、実施例１と同様の作用・効果を得ることができる。
【実施例９】
【００５９】
図９は本発明の実施例９に係る拡散型ファイバを示す。同図（a）は実施例９の拡散型ファイバの外観図、同図（b）は縦断面図、同図（c）はX9-X9線に沿う横断面図である。この実施例９の拡散型ファイバ２３は、拡散体２４が楕円体状である点及び、拡散体２４内に光散乱部材が混入されている点が実施例１と異なる。上記光散乱部材としては、実施例５と同様、拡散体２４とは屈折率が異なる無機或いは有機の微粒子か金属微粒子を用いることができる。
【００６０】
実施例５と同様、本実施例に係る拡散体２４も、ケイ酸ナトリウム（Na2SiO3）の水溶液内に粒径が数μmから数十μmの範囲のSiO2粒子を分散させた溶液を、クラッド部３から突出するコア部２の一端部に被覆した後、加熱し、硬化させる方法、或いは、ポリシランをキシレンに溶かした溶液内にSiO2粒子を分散させ、その溶液をクラッド部３から突出するコア部２の一端部に被覆後、加熱し、硬化させる方法により得ることができる。
【実施例１０】
【００６１】
図１０は本発明の実施例１０に係る拡散型ファイバの外観斜視図を示す。この実施例１０の拡散型ファイバ２５は、拡散体２６の表面に多数の小さな四角形状の凹部を蜂の巣状に形成した点が実施例１と異なる。
【００６２】
蜂の巣構造は、球状の拡散体をポリマ溶液で形成した後、蜂の巣構造に対応する内面構造を有する金属容器(金型）内に前記拡散体を入れて加熱、硬化させ、その後、金属容器から球状拡散体を取り出すことで形成することができる。
前記拡散型ファイバ２５の他端部からレーザ光Ｌａを入射させると、そのレーザ光Ｌａはコア部２内を伝搬して突出部２Ａから拡散体２６内に放射される。拡散体２６内に放射されたレーザ光は、拡散体２６表面の蜂の巣状面に伝搬して蜂の巣状面に垂直な方向に強く直進するように放射され、その結果、広い範囲に放射される。
【００６３】
このように、拡散体２６表面を蜂の巣状に加工することによって、拡散体２６内に放射されたレーザ光を小さな面積の四角い平面形状部分で拡がりをもって広い範囲に拡散・放射させることができる。拡散体２６の表面での光の拡散は、蜂の巣構造を構成する多数の四角い凹部の平面形状の面積が小さいほど大きくなり、拡散体２６の表面積や生体内の照射領域の大きさ等を考慮すると平面形状の面積は10μm２から200μm２の範囲が好ましい。
【実施例１１】
【００６４】
図１１は本発明の実施例１１に係る拡散型ファイバの外観斜視図を示す。この実施例１１の拡散型ファイバ２８は、クラッド部３の外周が被覆材２９で覆われている点が実施例１と異なる。被覆材２９は高分子材料或いは金属材料から成る。このような構成により、拡散型ファイバ２８を補強することができ、生体内に挿入したときに光ファイバ４が破断して生体を傷つけてしまうことを避けることができる。
【実施例１２】
【００６５】
図１２は本発明の実施例１２に係る医療用光部品の概略構成図を示す。実施例１２の医療用光部品３０は、例えば実施例１１に示す拡散型ファイバ２８と、この拡散型ファイバ２８の拡散体とは反対側の端面から波長λ1のレーザ光を入射させる光源３１と、光源３１と拡散型ファイバ２８の間に配置されたレンズ３２からなる。光源３１からのレーザ光Ｌａは、レンズ３２によって集光され、拡散型ファイバ２８に入射される。レーザ光の波長λ1としては、可視域の波長、例えば0.81μmを用いる。
【００６６】
医療用光部品３０では、長さは50cm程度から100cm程度の拡散型ファイバ２８を用いることが好ましい。
また、医療用光部品３０に用いる拡散型ファイバ２８の比屈折率差Δ（＝〔（コア部の屈折率―クラッド部の屈折率）/コア部の屈折率〕×100（％））は、0.1％から7％の範囲が好ましい。
【実施例１３】
【００６７】
図１３は本発明の実施例１３に係る医療用光部品の概略構成図を示す。実施例１３に係る医療用光部品４０は、波長λ1のレーザ光Ｌａ１と波長λ2のレーザ光Ｌａ２を合波器４１で合波し、拡散型ファイバ２８の端面から入射させた点が実施例１２と異なる。
光源３１ａから出射した波長λ1のレーザ光Ｌａ１は、集光レンズ３２ａを通って合波器４１に入射する。一方、光源３１ｂから出射した波長λ2のレーザ光Ｌａ２は、集光レンズ３２ｂを通って合波器４１に入力される。ここで、レーザ光Ｌａ２の波長λ2としては可視域の波長、たとえば0.63μmを用いると良い。
【００６８】
なお、本発明は上記した実施例に限定されるものではない。
例えば、実施例１３においては波長が異なる２本のレーザ光を合波して拡散型ファイバ内に入射させたが、波長が異なる３本以上のレーザ光を合波して拡散型ファイバ内に入射させても良い。この場合、レーザ光の波長帯として、半導体レーザの波長帯（0.8μm帯）、He-Neレーザ（波長0.63μm帯）、アルゴンガスレーザ（0.47μm帯）、Er:YAGレーザ（2.94μm帯）などを用いることができる。
拡散型ファイバは１本だけで用いる他、複数本を束ねて用いることができる。
図７に示す実施例７の拡散型ファイバにおいては、複数の微細なコアがバンドル状に構成されたコア部を用いることができる。
図８に示す実施例８の拡散型ファイバにおいては、コア部の代わりにバンドルファイバを用いることができる。
【符号の説明】
【００６９】
１，７，８，１２，１４，１６，１８，２１，２３，２５，２８…拡散型ファイバ
２…コア部
２Ａ…突出部
３…クラッド部
４…光ファイバ
５，１５，１７，２４，２６…拡散体
１０…保護層
２９…被覆材
３０，４０…医療用光部品
３１，３１ａ，３１ｂ…光源
３２，３２ａ，３２ｂ…レンズ
４１…合波器
【図１】
0005480015.tif 000002
【図２】
0005480015.tif 000003
【図３】
0005480015.tif 000004
【図４】
0005480015.tif 000005
【図５】
0005480015.tif 000006
【図６】
0005480015.tif 000007
【図７】
0005480015.tif 000008
【図８】
0005480015.tif 000009
【図９】
0005480015.tif 000010
【図１０】
0005480015.tif 000011
【図１１】
0005480015.tif 000012
【図１２】
0005480015.tif 000013
【図１３】
0005480015.tif 000014